(57)【要約】【課題】本発明は、極めて商品価値の高い画期的なストーブガードを提供することを目的とする。【解決手段】暖房器具の周囲に立設されるストーブガードであって、暖房器具の前後左右位置に配設される４つの柵体１から成り、この４つの柵体１のうち隣接状態に配設される柵体１夫々を起伏回動自在に枢着する連結体２を設け、この連結体２に対する隣接する柵体１夫々の枢着位置を異なる高さ位置に設定することで、前記４つの柵体１を全て伏し回動させた際、この４つの柵体１全てが略平行状態に積層されるように構成したものである。【選択図】        図２
2004301450.tif 000002
【特許請求の範囲】
【請求項１】
暖房器具の周囲に立設されるストーブガードであって、暖房器具の前後左右位置に配設される４つの柵体から成り、この４つの柵体のうち隣接状態に配設される柵体夫々を起伏回動自在に枢着する連結体を設け、この連結体に対する隣接する柵体夫々の枢着位置を異なる高さ位置に設定することで、前記４つの柵体を全て伏し回動させた際、この４つの柵体全てが略平行状態に積層されるように構成したことを特徴とするストーブガード。
【請求項２】
暖房器具の周囲に立設されるストーブガードであって、暖房器具の前後左右位置に配設される４つの柵体から成り、この４つの柵体のうち隣接状態に配設される柵体夫々を起伏回動自在に枢着する連結体を設け、この連結体に対する前柵体の枢着位置と、左柵体及び右柵体の枢着位置とを異なる高さ位置に設定するとともに、連結体に対する後柵体の枢着位置と、左柵体及び右柵体の枢着位置とを異なる高さ位置に設定することで、前記４つの柵体を全て伏し回動させた際、この４つの柵体全てが略平行状態に積層されるように構成したことを特徴とするストーブガード。
【請求項３】
暖房器具の周囲に立設されるストーブガードであって、暖房器具の前後左右位置に配設される４つの柵体から成り、この４つの柵体のうち、前柵体と後柵体との下方対向位置若しくは左柵体と右柵体との下方対向位置に配設され、前記４つの柵体のうち隣接状態に配設される柵体夫々を起伏回動自在に枢着する一対の連結体を設け、この各連結体に対する隣接する柵体夫々の枢着位置を異なる高さ位置となるように設定することで、前記４つの柵体を全て伏し回動させた際、この４つの柵体全てが略平行状態に積層されるように構成したことを特徴とするストーブガード。
【請求項４】
暖房器具の周囲に立設されるストーブガードであって、暖房器具の前後左右位置に配設される４つの柵体から成り、この４つの柵体のうち、前柵体と後柵体との下方対向位置若しくは左柵体と右柵体との下方対向位置に配設され、前記４つの柵体のうち隣接状態に配設される柵体夫々を起伏回動自在に枢着する一対の連結体を設け、この一の連結体に対する前柵体の枢着位置と、左柵体及び右柵体の枢着位置とを異なる高さ位置に設定するとともに、他の連結体に対する後柵体の枢着位置と、左柵体及び右柵体の枢着位置とを異なる高さ位置に設定することで、前記４つの柵体を全て伏し回動させた際、この４つの柵体全てが略平行状態に積層されるように構成したことを特徴とするストーブガード。
【請求項５】
隣接する柵体のうち一方の柵体に起伏自在に枢着され、起き回動させた際に先端部が他方の柵体に係止する回動体を設け、この回動体を、起き状態の隣接する柵体同士が支えあうことで伏し回動するのを防止し得る伏し回動防止具として構成したことを特徴とする請求項１〜４のいずれか１項に記載のストーブガード。
【発明の詳細な説明】
【０００１】
【発明の属する技術分野】
本発明は、ストーブガードに関するものである。
【０００２】
【従来の技術及び発明が解決しようとする課題】
従来から、ストーブやファンヒーターなどの暖房器具の周囲に立設されるストーブガード（以下、従来例という。）が提案されている。
【０００３】
この従来例は、暖房器具の前後左右位置に配設される４つの柵体で構成され、この４つの柵体のうち、前柵体と、この前柵体の左右端部に連設される左柵体及び右柵体との３つの柵体を折り畳み自在に連設し、残り１つの後柵体は左柵体及び右柵体夫々の後方端部間に着脱自在に架設連結した構造が一般的である。
【０００４】
従って、従来例は、例えばシーズン前の準備時やシーズン終了後の片付け時など、その都度、後柵体を左柵体及び右柵体夫々の後方端部間に装着したり、取り外したりしなければならず非常に煩わしいとされ、しかも、収納時や持ち運び時には嵩張ってしまうという問題点がある。
【０００５】
本出願人は、上述の問題点に着目し、極めて商品価値の高い画期的なストーブガードを開発した。
【０００６】
【課題を解決するための手段】
添付図面を参照して本発明の要旨を説明する。
【０００７】
暖房器具の周囲に立設されるストーブガードであって、暖房器具の前後左右位置に配設される４つの柵体１から成り、この４つの柵体１のうち隣接状態に配設される柵体１夫々を起伏回動自在に枢着する連結体２を設け、この連結体２に対する隣接する柵体１夫々の枢着位置を異なる高さ位置に設定することで、前記４つの柵体１を全て伏し回動させた際、この４つの柵体１全てが略平行状態に積層されるように構成したことを特徴とするストーブガードに係るものである。
【０００８】
また、暖房器具の周囲に立設されるストーブガードであって、暖房器具の前後左右位置に配設される４つの柵体１から成り、この４つの柵体１のうち隣接状態に配設される柵体１夫々を起伏回動自在に枢着する連結体２を設け、この連結体２に対する前柵体１Ａの枢着位置と、左柵体１Ｂ及び右柵体１Ｃの枢着位置とを異なる高さ位置に設定するとともに、連結体２に対する後柵体１Ｄの枢着位置と、左柵体１Ｂ及び右柵体１Ｃの枢着位置とを異なる高さ位置に設定することで、前記４つの柵体１を全て伏し回動させた際、この４つの柵体１全てが略平行状態に積層されるように構成したことを特徴とするストーブガードに係るものである。
【０００９】
また、暖房器具の周囲に立設されるストーブガードであって、暖房器具の前後左右位置に配設される４つの柵体１から成り、この４つの柵体１のうち、前柵体１Ａと後柵体１Ｄとの下方対向位置若しくは左柵体１Ｂと右柵体１Ｃとの下方対向位置に配設され、前記４つの柵体１のうち隣接状態に配設される柵体１夫々を起伏回動自在に枢着する一対の連結体２Ａ，２Ｂを設け、この各連結体２Ａ，２Ｂに対する隣接する柵体１夫々の枢着位置を異なる高さ位置となるように設定することで、前記４つの柵体１を全て伏し回動させた際、この４つの柵体１全てが略平行状態に積層されるように構成したことを特徴とするストーブガードに係るものである。
【００１０】
また、暖房器具の周囲に立設されるストーブガードであって、暖房器具の前後左右位置に配設される４つの柵体１から成り、この４つの柵体１のうち、前柵体１Ａと後柵体１Ｄとの下方対向位置若しくは左柵体１Ｂと右柵体１Ｃとの下方対向位置に配設され、前記４つの柵体１のうち隣接状態に配設される柵体１夫々を起伏回動自在に枢着する一対の連結体２Ａ，２Ｂを設け、この一の連結体２Ａに対する前柵体１Ａの枢着位置と、左柵体１Ｂ及び右柵体１Ｃの枢着位置とを異なる高さ位置に設定するとともに、他の連結体２Ｂに対する後柵体１Ｄの枢着位置と、左柵体１Ｂ及び右柵体１Ｃの枢着位置とを異なる高さ位置に設定することで、前記４つの柵体１を全て伏し回動させた際、この４つの柵体１全てが略平行状態に積層されるように構成したことを特徴とするストーブガードに係るものである。
【００１１】
また、隣接する柵体１のうち一方の柵体１に起伏自在に枢着され、起き回動させた際に先端部が他方の柵体１に係止する回動体８を設け、この回動体８を、起き状態の隣接する柵体１同士が支えあうことで伏し回動するのを防止し得る伏し回動防止具として構成したことを特徴とする請求項１〜４のいずれか１項に記載のストーブガードに係るものである。
【００１２】
【発明の実施の形態】
好適と考える本発明の実施の形態（発明をどのように実施するか）を、図面に基づいてその作用効果を示して簡単に説明する。
【００１３】
本発明は、例えばシーズン終了後の片付けに際し、４つの柵体１全てを伏し回動させてコンパクトに折り畳み状態とすることができる。
【００１４】
具体的には、この４つの柵体１のうち隣接状態に配設される柵体１夫々を起伏回動自在に枢着する連結体２を設け、この連結体２に対する隣接する柵体１夫々の枢着位置を異なる高さ位置となるように設定されているから、前記４つの柵体１を全て伏し回動させた際、この４つの柵体１全てが略平行状態に積層されることになる。
【００１５】
つまり、仮にこの連結体２に対する隣接する柵体１夫々の枢着位置が同一の高さ位置となるようにし、この隣接する柵体１を順番に回動させた場合、先に伏し回動させた柵体１が後から伏し回動させた柵体１に干渉することで略平行状態に積層することはできない（傾斜した状態となる。）。この点、本発明は、連結体２に対する隣接する柵体１夫々の枢着位置を異なる高さ位置となるように設定されているから、４つの柵体１全てを略平行状態に積層状態にすることができることになる。
【００１６】
従って、前述した従来例と異なり、４つの柵体１全てを連結体２に対して起伏回動させるだけで不使用状態と使用状態との切り替えが簡易且つ迅速に行えることになり、しかも、コンパクトに折り畳むことができることになり収納時や持ち運び時に非常に便利となる。
【００１７】
【実施例】
本発明の具体的な実施例について図面に基づいて説明する。
【００１８】
本実施例は、暖房器具の周囲に立設されるストーブガードであって、暖房器具の前後左右位置に配設される４つの柵体１から成るものである。
【００１９】
具体的には、前柵体１Ａ及び後柵体１Ｄは、図１に図示したように金属線材を縦横に連設して構成されており、前柵体１Ａは、その正面中央部に開口部９が形成され、この開口部９には前方へ湾曲（膨出）する開閉扉３が設けられている。
【００２０】
左柵体１Ｂ及び右柵体１Ｃは、図１に図示したように金属製のコ字状のフレーム４，５と、このフレーム４，５内に架設され、金属線材を縦横に連設して成る網状部材６，７とで構成されている。
【００２１】
前述した４つの柵体１Ａ，１Ｂ，１Ｃ，１Ｄは一対の連結体２Ａ，２Ｂを介して連結され、平面視方形状のガード本体Ａとして構成されている。
【００２２】
具体的には、各連結体２Ａ，２Ｂは、適宜な金属製の部材を棒状（コ字状の長尺板状体）に形成したものであり、前柵体１Ａ及び後柵体１Ｂの巾と略同程度の長さ（若干長め）に設けられ、前柵体１Ａ，後柵体１Ｄ夫々の下方対向位置にして前後位置に平行状態で配設されている。
【００２３】
また、各連結体２Ａ，２Ｂは、夫々その両端部に金属板製の第一連結部１０が設けられ、この第一連結部１０夫々の近傍位置にして中央寄り位置には金属板製の第二連結部１１が設けられている。
【００２４】
前方の連結体２Ａの左側に設けた第一連結部１０には左柵体１Ｂの前端下方部位が枢着され、右側に設けた第一連結部１０には右柵体１Ｃの前端下方部位が枢着されており、一方、後方の連結体２Ｂの左側に設けた第一連結部１０には左柵体１Ｂの後端下方部位が枢着され、右側に設けた第一連結部１０には右柵体１Ｃの後端下方部位が枢着されており、よって、この前後の連結体２に設けられた計４つの第一連結部１０に枢着される左柵体１Ｂ及び右柵体１Ｃは左右方向（内外方向）に起伏回動自在となる。
【００２５】
また、前方の連結体２Ａに設けた左右の第二連結部１１には前柵体１Ａの左右端下方部位が枢着され、一方、後方の連結体２Ｂに設けた左右の第二連結部１１には後柵体１Ｄの左右端下方部位が枢着されており、よって、この前後の連結体２Ａ，２Ｂに設けられた計４つの第二連結部１１に枢着される前柵体１Ａ及び後柵体１Ｄは前後方向に起伏回動自在となる。
【００２６】
ところで、この４つの柵体１を全て伏し回動させた際、この４つの柵体１全てが略平行状態（添設状態）に積層されるように構成されている。
【００２７】
具体的には、前方の連結体２Ａに対する前柵体１Ａの左右枢着位置Ｐ１（左右の第二連結部１１に対する枢着位置）と、該前柵体１Ａに隣接状態にして直交状態に配設される左柵体１Ｂ及び右柵体１Ｃ夫々の前方の連結体２Ａに対する該左柵体１Ｂ及び右柵体１Ｃ夫々の前方枢着位置Ｐ２（左右の第一連結部１０に対する枢着位置）を異なる高さ位置（Ｐ１＜Ｐ２）に設定することで、左柵体１Ｂ及び右柵体１Ｃを伏し回動させた後に前柵体１Ａを伏し回動させた際、この隣接する柵体同士が干渉しあわず略平行状態に積層されることになる。このＰ１とＰ２との高さの違いは柵体の厚みなどの各種寸法が考慮されて適宜設定される。
【００２８】
また、前述と同様、後方の連結体２Ｂに対する後柵体１Ｄの左右枢着位置と該後柵体１Ｄに隣接状態にして直交状態に配設される左柵体１Ｂ及び右柵体１Ｃ夫々の後方枢着位置を異なる高さ位置に設定することで、左柵体１Ｂ及び右柵体１Ｃを伏し回動させた後に後柵体１Ｄを伏し回動させた際、この隣接する柵体同士が干渉しあわず略平行状態に積層されることになる。
【００２９】
以上の構成から、前記４つの柵体１Ａ，１Ｂ，１Ｃ，１Ｄを全て伏し回動させた際、この４つの柵体１全てが略平行状態に積層されることになる。尚、連結体２として左柵体１Ｂ及び右柵体１Ｃの下方対向位置に配設されるタイプの連結体２を採用しても良く、計８箇所の枢着位置の全ての高さ位置を異ならせることで４つの柵体１Ａ，１Ｂ，１Ｃ，１Ｄ全てが略平行状態に積層される構成にしても良い。
【００３０】
また、前柵体１Ａ及び後柵体１Ｄは、夫々その左右両端部の上方位置に金属線材を付設して成る係止部１２が突出形成されており、この係止部１２に係止する回動体８が左柵体１Ｂ及び右柵体１Ｃに回動自在に設けられている。
【００３１】
この回動体８は、図４に図示したように金属板材をコ字状に折曲形成して構成されており、基部８ａとこの基部８ａの左右側縁夫々に立ち上がり形成され、左柵体１Ｂ及び右柵体１Ｃ夫々のフレーム４，５に挟み込み状態で被嵌し得る側板部８ｂとで構成されている。
【００３２】
この左右の側板部８ｂには、夫々略中央位置にして対向位置に長窓孔１３が形成されており、この長窓孔１３は、フレーム４，５夫々の周面に突出状態に設けられる軸体１４に被嵌連結し得るように構成されており、この軸体１４を支点に回動体８は回動自在に設けられている。
【００３３】
また、長窓孔１３は、屈曲形状（Ｌ字状）に形成されており、この長窓孔１３の先端位置に軸体１４が位置する際には回動体８はフレーム４，５に対して添設状態となり（図４参照）、軸体１４に対して長窓孔１３をスライド移動させて該長窓孔１３の基端位置に軸体１４を位置せしめるとともに、基部８ａに設けた湾曲状の凹部８ａ’をフレーム４，５の周面に嵌設させた際には、回動体８はフレーム４，５に対して起き上がり状態にして水平状態に保持されるように構成されている（図６参照）。
【００３４】
従って、隣接する柵体１（前柵体１Ａ及び後柵体１Ｄと左柵体１Ｂ及び右柵体１Ｃ）を起き回動させ（図５参照）、この状態で回動体８を起き上がり状態にすると、回動体８に係る側板部８ｂの左右先端部が前柵体１Ａ及び後柵体１Ｄに設けた係止部１２に係止することになり（図６参照）、よって、この起き状態の隣接する柵体１同士が支えあうことで各柵体１Ａ，１Ｂ，１Ｃ，１Ｄの伏し回動するのを防止し得る伏し回動防止具として機能することになる。この伏し回動防止具が簡易な操作で機能する構成であるから、ガード本体Ａの不使用状態と使用状態との切り替えが極めて簡易且つ迅速に行えることになる。
【００３５】
本実施例は上述のように構成したから、例えばシーズン終了後の片付けに際し、４つの柵体１Ａ，１Ｂ，１Ｃ，１Ｄ全てを伏し回動させてコンパクトに折り畳み状態とすることができる。
【００３６】
具体的には、この４つの柵体１Ａ，１Ｂ，１Ｃ，１Ｄのうち隣接状態に配設される柵体１夫々を起伏回動自在に枢着する連結体２Ａ，２Ｂを設け、この連結体２Ａ，２Ｂに対する隣接する柵体１夫々の枢着位置を異なる高さ位置となるように設定されているから、前記４つの柵体１Ａ，１Ｂ，１Ｃ，１Ｄを全て伏し回動させた際、この４つの柵体１Ａ，１Ｂ，１Ｃ，１Ｄ全てが略平行状態に積層されることになる。
【００３７】
よって、本実施例によれば、前述した従来例と異なり、４つの柵体１Ａ，１Ｂ，１Ｃ，１Ｄ全てを連結体２Ａ，２Ｂに対して起伏回動させるだけで不使用状態と使用状態との切り替えが簡易且つ迅速に行えることになり、しかも、コンパクトに折り畳むことができることになり収納時や持ち運び時に非常に便利となる。
【００３８】
尚、本発明は、本実施例に限られるものではなく、各構成要件の具体的構成は適宜設計し得るものである。
【００３９】
【発明の効果】
本発明は上述のように構成したから、４つの柵体全てを連結体に対して起伏回動させるだけで不使用状態と使用状態との切り替えが簡易且つ迅速に行えることになり、しかも、コンパクトに折り畳むことができることになり収納時や持ち運び時に非常に便利となるなど極めて商品価値の高い画期的なストーブガードとなる。
【００４０】
また、請求項２〜４記載の発明においては、より具体的な構成から確実に良好な作用効果を発揮し得る画期的なストーブガードとなる。
【００４１】
また、請求項５記載の発明においては、より一層不使用状態と使用状態との切り替えが簡易且つ迅速に行えることになるなど極めて商品価値の高い画期的なストーブガードとなる。
【図面の簡単な説明】
【図１】本実施例の使用状態を示す斜視図である。
【図２】本実施例の折り畳み状態を示す斜視図である。
【図３】本実施例に係る要部の拡大説明図である。
【図４】本実施例に係る要部の拡大説明図である。
【図５】本実施例に係る要部の概略動作説明図である。
【図６】本実施例に係る要部の概略動作説明図である。
【符号の説明】
１  柵体
１Ａ  前柵体
１Ｂ  左柵体
１Ｃ  右柵体
１Ｄ  後柵体
２  連結体
２Ａ  連結体
２Ｂ  連結体
８  回動体
【図１】
2004301450.tif 000003
【図２】
2004301450.tif 000004
【図３】
2004301450.tif 000005
【図４】
2004301450.tif 000006
【図５】
2004301450.tif 000007
【図６】
2004301450.tif 000008